(57)【要約】【課題】  スタンスの中心位置との相対的な関係で両足及びボールを置く適切な位置を練習者が体得することができるゴルフ練習具を提供する。【解決手段】  ゴルフ練習具１は、使用者のスタンスの中心となるべき位置を示す中心線１２が設けられている基板１１と、左足の位置を示す左足位置指示板２１と、右足の位置を示す右足位置指示板３１と、ボールの位置を示すボール位置指示板４１とを備えている。これらの左足位置指示板２１、右足位置指示板３１及びボール位置指示板４１は、左右方向に移動可能に基板１１に取り付けられている。【選択図】    図１
2010263984.tif 000002
【特許請求の範囲】
【請求項１】
使用者のスタンスの中心となるべき位置を示す中心位置指示部が設けられている基板と、
第一の足の位置を示す前記基板から一方側に突出する第一足位置指示部と、
第二の足の位置を示す前記基板から一方側に突出する第二足位置指示部と、
ボールの位置を示す前記基板から他方側に突出するボール位置指示部とを備え、
前記第一足位置指示部、前記第二足位置指示部及び前記ボール位置指示部は、第一方向に移動可能に前記基板に取り付けられている、ゴルフ練習具。
【請求項２】
前記基板には、前記中心位置指示部を基点とした中心位置基点目盛りが設けられている、請求項１に記載のゴルフ練習具。
【請求項３】
前記基板には、前記第一足位置指示部の移動範囲に沿って付されている第一足位置目盛りと、前記第二足位置指示部の移動範囲に沿って付されている第二足位置目盛りと、前記ボール位置指示部の移動範囲に沿って付されているボール位置目盛りとがさらに設けられている、請求項２に記載のゴルフ練習具。
【請求項４】
前記中心位置基点目盛りと、前記第一足位置目盛り、前記第二足位置目盛り及び前記ボール位置目盛りとは互いに対応するように配設されている、請求項３に記載のゴルフ練習具。
【請求項５】
前記中心位置基点目盛りは、前記中心位置指示部からの距離を示す印で構成されている、請求項２乃至４の何れかに記載のゴルフ練習具。
【請求項６】
前記ボール位置指示部に着脱可能に取り付けられる、ボールの飛球方向を示す飛球方向指示部をさらに備える、請求項１乃至５の何れかに記載のゴルフ練習具。
【請求項７】
前記第一足位置指示部に着脱可能に取り付けられる、第一方向と直交する第二方向における第一の足の位置を示す第二方向位置指示部をさらに備える、請求項１乃至６の何れかに記載のゴルフ練習具。
【発明の詳細な説明】
【技術分野】
【０００１】
本発明は、ゴルフ練習の際に使用するゴルフ練習具に関する。
【背景技術】
【０００２】
ゴルフスイングを行う場合、ゴルファーの体格及び使用するゴルフクラブ等に応じて、スタンス及びボールの適切な位置が異なる。そのため、両者の適切な位置を体得することがゴルフスイングの上達を図る上で不可欠であるといえる。そこで、適切なスタンス及びボールの位置で繰り返し練習することができるゴルフ練習具が提案されている。
【０００３】
例えば、特許文献１には、右足のポジションインジケータを固定し、左足のポジションインジケータとボールの位置確認部材とが一つのスロット内で移動可能であり、前記スロット内における左足のポジションインジケータとボールの位置確認部材との位置調節が可能なスタンス指示具が開示されている。これによれば、使用するゴルフクラブ等に応じて左足のポジションインジケータ及びボール位置確認部材を適当な位置に移動させることにより、適切なスタンス及びボールの位置でスイング練習を行うことができる。
【先行技術文献】
【特許文献】
【０００４】
【特許文献１】特開平８−７１１９３号公報
【発明の概要】
【発明が解決しようとする課題】
【０００５】
ところで、ゴルファーがゴルフスイングを行う際には、自らの目線を基準としてスタンス及びボールの位置を決めることが通常である。この目線は、セットアップポジション（スイングの準備段階の静止段階）におけるスタンスの中心位置と概ね一致する。したがって、スタンスの中心位置との相対的な関係で両足及びボールの適切な位置を体得することは、ゴルフの上達において極めて重要である。
【０００６】
しかしながら、上述したような特許文献１に開示されたスタンス指示具では、スタンスの中心位置が一定ではないため、当該中心位置との相対的な関係で両足及びボールの位置を体得することが困難になってしまう。具体的に説明すると、上記のスタンス指示具の場合、固定されている右足ポジションインジケータを基点にして左足のポジションインジケータ及びボールの位置確認部材を移動させることにより、左足の位置及びボールの位置を定めている。このとき、左足のポジションインジケータを移動させる毎にスタンスの中心位置が左側にずれていくことになるため、その位置を把握することが難しくなる。その結果、スタンスの中心位置との相対的な関係で両足及びボールの位置を体得することが困難となり、そのことがゴルフの上達を妨げてしまうという問題がある。
【０００７】
本発明は斯かる事情に鑑みてなされたものであり、その主たる目的は、上記課題を解決することができるゴルフ練習具を提供することにある。
【課題を解決するための手段】
【０００８】
上述した課題を解決するために、本発明の一の態様のゴルフ練習具は、使用者のスタンスの中心となるべき位置を示す中心位置指示部が設けられている基板と、第一の足の位置を示す前記基板から一方側に突出する第一足位置指示部と、第二の足の位置を示す前記基板から一方側に突出する第二足位置指示部と、ボールの位置を示す前記基板から他方側に突出するボール位置指示部とを備え、前記第一足位置指示部、前記第二足位置指示部及び前記ボール位置指示部は、第一方向に移動可能に前記基板に取り付けられている。
【０００９】
上記態様のゴルフ練習具において、前記基板には、前記中心位置指示部を基点とした中心位置基点目盛りが設けられていることが好ましい。
【００１０】
また、上記態様のゴルフ練習具において、前記基板には、前記第一足位置指示部の移動範囲に沿って付されている第一足位置目盛りと、前記第二足位置指示部の移動範囲に沿って付されている第二足位置目盛りと、前記ボール位置指示部の移動範囲に沿って付されているボール位置目盛りとがさらに設けられていることが好ましい。
【００１１】
また、上記態様のゴルフ練習具において、前記中心位置基点目盛りと、前記第一足位置目盛り、前記第二足位置目盛り及び前記ボール位置目盛りとが互いに対応するように配設されていることが好ましい。
【００１２】
また、上記態様のゴルフ練習具において、前記中心位置基点目盛りが、前記中心位置指示部からの距離を示す印で構成されていることが好ましい。
【００１３】
また、上記態様のゴルフ練習具が、前記ボール位置指示部に着脱可能に取り付けられる、ボールの飛球方向を示す飛球方向指示部をさらに備えていてもよい。
【００１４】
さらに、上記態様のゴルフ練習具が、前記第一足位置指示部に着脱可能に取り付けられる、第一方向と直交する第二方向における第一の足の位置を示す第二方向位置指示部をさらに備えていてもよい。
【発明の効果】
【００１５】
本発明に係るゴルフ練習具によれば、スタンスの中心位置との相対的な関係で両足及びボールの適切な位置を練習者が体得することができるため、ゴルフの上達を図ることが可能になる。
【図面の簡単な説明】
【００１６】
【図１】本発明の実施の形態１に係るゴルフ練習具の構成を示す平面図。
【図２】本発明の実施の形態１に係るゴルフ練習具が備える左足位置指示板がガイド孔に連結されている構造を示す側面断面図。
【図３】ミドルアイアンを使用する場合の本発明の実施の形態１に係るゴルフ練習具の使用例を示す平面図。
【図４】ドライバーを使用する場合の本発明の実施の形態１に係るゴルフ練習具の使用例を示す平面図。
【図５】本発明の実施の形態２に係るゴルフ練習具の構成を示す平面図。
【図６】ショートアイアンを使用する場合の本発明の実施の形態２に係るゴルフ練習具の使用例を示す平面図。
【図７】アプローチショットを行う場合の本発明の実施の形態２に係るゴルフ練習具の使用例を示す平面図。
【発明を実施するための形態】
【００１７】
以下、本発明の好ましい実施の形態を、図面を参照しながら説明する。
なお、以下の各実施の形態におけるゴルフ練習具の使用方法では、右利きの練習者が当該ゴルフ練習具を使用する場合を例にして説明する。左利きの練習者が使用する場合も同様の使用方法であるため、その説明を省略する。
【００１８】
（実施の形態１）
［ゴルフ練習具の構成］
図１は、本発明の実施の形態１に係るゴルフ練習具１の構成を示す平面図である。
図１に示すとおり、実施の形態１に係るゴルフ練習具１は、基板１１と、左足の位置を示す左足位置指示板２１と、右足の位置を示す右足位置指示板３１と、ゴルフボールの位置を示すボール位置指示板４１と、ゴルフボールの飛球すべき方向を示す飛球方向指示板５１とを備えている。
【００１９】
基板１１は、アルミ等の非鉄金属製であり、幅約５ｃｍ、長さ約１００ｃｍ、厚さ約２ｃｍの左右に細長い板状をなしている。この基板１１には、その中心付近に印刷されている中心線１２と、細長い孔であるガイド孔２２、３２及び４２とが設けられている。ガイド孔２２及び３２は、基板１１の後ろ寄りの位置に、左右に並べて設けられている。また、ガイド孔２２及び３２の前側にはガイド孔４２が設けられている。さらに、ガイド孔２２及び３２とガイド孔４２との間には共通目盛り１３が印字されている。
【００２０】
中心線１２は、ゴルフスイングの際のスタンスの中心となるべき位置を示す線である。なお、本実施の形態では、スタンスの中心となるべき位置を示す印として当該線が印刷されているが、これに限定されるわけではなく、当該位置を示すことができれば他の印であってもよい。したがって、線の代わりに、例えば点等が印字されていてもよく、溝等が形成されていてもよい。
【００２１】
ガイド孔２２及び３２は、基板１１の長手方向と平行な細長い孔であり、基板１１の後ろ寄りの位置に設けられている。これらガイド孔２２及び３２は、幅約１ｃｍ、長さ約４３ｃｍの孔である。ガイド孔２２は、中心線１２の左側に設けられており、中心線１２から左側に約５ｃｍ離れた距離にその右端が位置する。また、ガイド孔３２は、中心線１２の右側に設けられており、中心線１２から右側に約５ｃｍ離れた距離にその左端が位置する。
【００２２】
ガイド孔４２は、基板１１の中央から左右長手方向へ延びる細長い孔であり、ガイド孔２２及び３２の前側に設けられている。そのサイズは、幅約１ｃｍ、長さ約７３ｃｍである。
【００２３】
共通目盛り１３は、中心線１２からの距離を示す数値で構成される目盛りである。中心線１２の位置を示す印として中心線１２の近傍に０が印字されており、当該０から左右両方向に向かって、５ｃｍ毎に１から７までの数値が順番に印字されている。
【００２４】
基板１１の後ろ側の縁であって、中心線１２を挟んで両側には、左足位置目盛り２３及び右足位置目盛り３３が設けられている。左足位置目盛り２３は、実質的にガイド孔２２の全長に亘って設けられており、後述する左足位置指示板２１の位置決めのために用いられる。さらに詳細に説明すると、左足位置目盛り２３は、ガイド孔２２の左端の少し右側からガイド孔２２の右端までの間に設けられている。左足位置目盛り２３には、５ｃｍ毎に主線が印刷されており、その主線の位置と、上記の共通目盛り１３の数値の位置とは互いに対応している。また、それぞれの主線の間には主線よりも短い補助線が印刷されている。補助線は長い線と短い線とからなり、これら２種類の線が５ｍｍ毎に交互に印刷されている。
【００２５】
右足位置目盛り３３は、実質的にガイド孔３２の全長に亘って設けられており、後述する右足位置指示板３１の位置決めのために用いられる。さらに詳細に説明すると、右足位置目盛り３３は、ガイド孔３２の右端の少し左側からガイド孔３２の左端までの間に設けられている。右足位置目盛り３３には、左足位置目盛り２３の場合と同様に、５ｃｍ毎に主線が印刷されており、その主線の位置と上記の共通目盛り１３の数値の位置とは互いに対応している。また、それぞれの主線の間には、長短２種類の補助線が５ｍｍ毎に交互に印刷されている。
【００２６】
ボール位置目盛り４３は、基板１１の前側の縁において、実質的にガイド孔４２の全長に亘って設けられており、ボール位置指示板４１の位置決めのために用いられる。さらに詳細に説明すると、ボール位置目盛り４３は、ガイド孔４２の左端の少し右側から、ガイド孔４２の右端の少し左側までの間に設けられている。ボール位置目盛り４３は、５ｃｍ毎に主線が印刷されており、その主線の位置と、上記の共通目盛り１３の数値の位置とは互いに対応している。また、それぞれの主線の間には、長短２種類の補助線が５ｍｍ毎に交互に印刷されている。
【００２７】
次に、左足位置指示板２１、右足位置指示板３１、ボール位置指示板４１及び飛球方向指示板５１の詳細な構成について説明する。
【００２８】
左足位置指示板２１は、ゴルフスイングする際の左足の位置を示すために用いられる指示板である。左足位置指示板２１は、幅約１．５ｃｍ、長さ約３６ｃｍの非鉄金属製の板であり、基板１１の長手方向と平面に垂直になるように基板１１に取り付けられている。この左足位置指示板２１は、後述するように、ガイド孔２２に沿ってスライド移動が可能である。
【００２９】
図２は、左足位置指示板２１がガイド孔２２に連結されている構造を示す側面断面図である。図２に示すとおり、基板１１には、ガイド孔２２の周辺部の上面側に、凹部１１０が形成されている。基板１１の縁側の底は、その中央部の底より高くなっており、左足位置指示板２１の高さより大きな隙間が形成されている。そのため、左足位置指示板２１は、基板１１に干渉されずにスライド移動することができる。左足位置指示板２１の一端部には係合部２６が設けられており、この係合部２６は、左足位置指示板２１から突出したガイド孔２２の幅より狭い棒状部２６ａと、棒状部２６ａの上面に設けられた脱落防止部２６ｂとを備えている。棒状部２６ａは左足位置指示板２１に固定されている。また、棒状部２６ａは脱落防止部２６ｂに回動可能に連結されている。そのため、左足位置指示板２１は、棒状部２６ａの中心軸を中心にして回動することができる。棒状部２６ａは、ガイド孔２２に貫通しており、また、脱落防止部２６ｂは、基板１１の凹部１１０の幅よりも狭く、且つガイド孔２２の幅より大きいため、凹部１１０に係合している。これにより、左足位置指示板２１は、ガイド孔２２に沿ってスライド移動が可能になる。
【００３０】
左足位置指示板２１には、上述した左足位置指示板２１の回動を規制する回動規制部２７が着脱可能に取り付けられている。回動規制部２７は、雄ネジ２７ａを有している。また、左足位置指示板２１の一端部側に雌ネジ２１０が設けられている。左足位置指示板２１が、基板１１の長手方向に対して垂直となるように左足位置指示板２１を配置した状態で、雄ネジ２７ａに雌ネジ２１０を螺合させることにより、左足位置指示板２１に回動規制部２７を取り付けると、基板１１の縁に回動規制部２７が当接する。これにより、左足位置指示板２１を回動させようとしても、回動規制部２７が基板１１に接触するため、左足位置指示板２１の回動が規制される。また、回動規制部２７ａを取り外すと、左足位置指示板２１を回動させることができる。
【００３１】
また、左足位置指示板２１の他端部側の中心には基準線２４が印刷されている。ガイド孔２２内で左足位置指示板２１をスライド移動させる際、共通目盛り１３を参考にしながら、左足位置目盛り２３に印刷されている線に基準線２４を合わせることで、正確に位置を決めることができる。なお、このように位置決めを補助することができる印であれば線でなくてもよいため、例えば、点等が印字されていてもよく、溝等が形成されていてもよい。
【００３２】
また、左足位置指示板２１には、左足前後位置目盛り２８が付されている。この左足前後位置目盛り２８は、左足位置指示板２１の長手方向に沿って１から５までの数値が基板１１から順に等間隔で印字されている。また、これらの数値の後ろ側には、幅方向と平行になるように等間隔の線がそれぞれ印刷されている。使用者は、この左足前後位置目盛り２８を参考にすることによって、前後方向における左足の位置を確認することができる。
【００３３】
さらに、左足位置指示板２１には、その他端部側に磁石２５が取り付けられている。磁石２５は、左足位置指示板２１を基板１１の裏側に収納する際に、基板１１の裏側に取り付けられた磁石（図示せず）と互いに引き合い吸着する。左足位置指示板２１を基板１１の裏側に収納する場合、まず左足位置指示板２１をガイド孔２２の左端までスライド移動させる。次に、左足位置指示板２１を基板１１の方に回動させ、基板１１内に収める。基板１１の裏側には、左足位置指示板２１が基板１１内に収納されたときの磁石２５の位置と対応する位置に磁石が取り付けられているため、左足位置指示板２１を基板１１内に収めると、左足位置指示板２１の磁石２５と基板１１の磁石とが引き合い吸着する。これにより、左足位置指示板２１を基板１１から外れることなく固定することができる。
【００３４】
右足位置指示板３１は、ゴルフスイングする際の右足の位置を示すために用いられる指示板である。右足位置指示板３１は、基板１１の長手方向と平面に垂直になるように取り付けられており、ガイド孔３２に沿ってスライド移動が可能である。右足位置指示板３１のサイズ並びに基準線３４及び磁石３５等のその他の構成については、上述した左足位置指示板２１と同様であるので説明を省略する。なお、右足位置指示板３１にも、左足位置指示板２１における左足前後位置目盛り２８と同様の右足前後位置目盛りが付されていてもよい。
【００３５】
ボール位置指示板４１は、ゴルフボールを置く位置を指し示すために用いられる指示板である。ボール位置指示板４１は、基板１１の長手方向と平面に垂直になるように取り付けられており、ガイド孔４２に沿ってスライド移動が可能である。
【００３６】
ボール位置指示板４１には、その他端部の幅方向に基準線４８が付されている。基準線４８は、ボールを置く位置の目安となる線である。なお、本実施の形態では、ボールを置く位置の目安として線を付しているが、これに限定されるわけではなく、例えば、点等を付してもよく、また溝等を形成してもよい。ボール位置指示板４１のサイズ並びに基準線４４及び磁石４５等のその他の構成については、上述した左足位置指示板２１と同様であるので説明を省略する。
【００３７】
なお、このボール位置指示板４１は長手方向に伸縮自在な構造を有していてもよい。その場合、ボール位置指示板４１の長さ調整が容易にできるため、ボールの置く位置をより精確に指し示すことができる。
【００３８】
飛球方向指示板５１は、ボールの飛球すべき方向を示す指示板である。飛球方向指示板５１は、幅約１．５ｃｍ、長さ約２９ｃｍの細長い板であり、非鉄金属製である。この飛球方向指示板５１は、ボール位置指示板４１に直交するように嵌め込むことができる。具体的に説明すると、飛球方向指示板５１の裏側には、ボール位置指示板４１の幅よりも少し広い溝がその幅方向に形成されており、その溝にボール位置指示板４１を嵌め込む。飛球方向指示板５１は、ボール位置指示板４１に沿って摺動し、適宜の位置に移動させることが可能である。
【００３９】
飛球方向指示板５１の一端部の中心には基準線５２が印刷されている。練習者は、この基準線５２により飛球方向指示板５１の中心を明確に認識することができるため、ボールの飛球方向をより精確に確認することができる。
【００４０】
なお、本実施の形態では、飛球方向指示板５１に溝が形成されているが、これに限定されるわけではない。ボール位置指示板４１に飛球方向指示板５１を位置調節可能に取り付けられればよく、例えば、飛球方向指示板５１にネジ孔を設け、ボール位置指示板４１の長手方向の異なる位置に複数のネジ孔を設け、ボール位置指示板４１の所望の位置のネジ孔と飛球方向指示板５１のネジ孔とを合わせてネジを螺合することで上記の２本の板を固定するような構成であってもよい。
【００４１】
［ゴルフ練習具の使用方法］
上述したように構成された実施の形態１に係るゴルフ練習具１を使用する場合、練習者は、中心線１２から同間隔離れた位置に左足位置指示板２１と右足位置指示板３１とをスライド移動させ、それらを目安に両足をそれぞれ置く。そのため、中心線１２はスタンスの中心となる。なお、例えば左足を右足よりも後ろ側に置く等のように両足の前後位置が異なっていたり、一方の足を位置指示板の外側の位置に置き、他方の足をその内側の位置に置いたりして使用することも可能である。このような場合でも、左足位置指示板２１と右足位置指示板３１とによって示された位置を目安に両足を置いていることに変わりはなく、したがって中心線１２はスタンスの中心を示しているといえる。練習者は、スタンスの中心を中心線１２の延長線上に重ねるようにして立ち、スイングする。
【００４２】
ゴルフ練習具１を使用する際、練習者はまず、ゴルフ練習具１の基板１１をゴルフボールの飛球すべき方向と基板１１の長手方向とが平行になるように設置する。次に、使用するゴルフクラブに応じて、左足位置指示板２１、右足位置指示板３１及びボール位置指示板４１を適切な位置までそれぞれスライド移動させる。３本の位置指示板をスライド移動させた後、ボール位置指示板４１の延長線上にゴルフボールを置く。そして左足位置指示板２１及び右足位置指示板３１に沿って左足及び右足をそれぞれ置き、スタンスの中心が中心線１２の延長線上と重なるようにして立ち、スイングする。
【００４３】
（１）ミドルアイアンを使用する場合
以下、ゴルフ練習具１のより詳細な使用方法を、ミドルアイアンを使用する場合を例として説明する。
図３は、ミドルアイアンを使用する場合のゴルフ練習具１の使用例を示す平面図である。まず、ゴルフ練習具１の基板１１をゴルフボールの飛球すべき方向に向けて設置する。そして、左足位置指示板２１、右足位置指示板３１及びボール位置指示板４１を適切な位置までそれぞれスライド移動させる。
【００４４】
ここでは、ミドルアイアンを使用する場合における左足位置指示板２１及び右足位置指示板３１の適切な位置が、共通目盛り１３における「５」の位置であるものとする。
【００４５】
練習者は、共通目盛り１３における２つの「５」のうち左側にある「５」と対応する位置にある左足位置目盛り２３の主線と基準線２４とが一致するように、左足位置指示板２１をスライド移動させる。同様にして、練習者は、共通目盛り１３における２つの「５」のうち右側にある「５」と対応する位置にある右足位置目盛り３３の主線と基準線３４とが一致するように、右足位置指示板３１をスライド移動させる。
【００４６】
このようにして両足の位置指示板２１及び３１をスライド移動させた後、ボール位置指示板４１をスライド移動させる。ここでは、ボール位置指示板４１の適切な位置が共通目盛り１３における「０」の位置であるものとする。練習者は、左足位置指示板２１と同様の方法で、ボール位置指示板４１を共通目盛り１３の「０」の位置までスライド移動させる。
【００４７】
次に、使用者は、ボール位置指示板４１の他端部から飛球方向指示板５１を嵌め込み、適宜の位置まで摺動させる。その後、使用者がボール位置指示板４１の基準線４８の延長線上にボールＢを置くことにより、ゴルフ練習具１の使用準備が完了する。
【００４８】
練習者は、上述したようにしてゴルフ練習具１の使用準備を完了させた後、左足位置指示板２１及び右足位置指示板３１の間に立ち、これらの位置指示板２１及び３１の位置を参考にして両足を開く。具体的には、図３に示すとおり、両足とも前側を外方向に少し開いた上で、左足前側の外側が左足位置指示板２１に触れるように左足を置き、右足前側の外側が右足位置指示板３１に触れるように右足を置く。なお、足は必ずしも指示板に触れていなくてもよく、その場合は指示板の近傍に足を置くようにすればよい。
以上のようにしてスタンスを確定した後、練習者は、スタンスの中心が中心線１２の延長線上にあることを意識しながらスイングする。
【００４９】
（２）ドライバーを使用する場合
次に、ドライバーを使用する場合のゴルフ練習具１の詳細な使用方法を説明する。図４は、ドライバーを使用する場合のゴルフ練習具１の使用例を示す平面図である。
ここでは、ドライバーを使用する場合における左足位置指示板２１及び右足位置指示板３１の適切な位置が、共通目盛り１３における「４」の位置であるものとする。また、ボール位置指示板４１の適切な位置は、共通目盛り１３における２つの「４」のうち左側にある「４」の位置であるものとする。
【００５０】
練習者は、共通目盛り１３における２つの「４」のうち左側にある「４」と対応する位置にある左足位置目盛り２３の主線と基準線２４とが一致するように、左足位置指示板２１をスライド移動させる。同様にして、練習者は、共通目盛り１３における２つの「４」のうち右側にある「４」と対応する位置にある右足位置目盛り３３の主線と基準線３４とが一致するように、右足位置指示板３１をスライド移動させる。
【００５１】
このようにして両足の位置指示板２１及び３１をスライド移動させた後、ボール位置指示板４１をスライド移動させる。ここでは、ボール位置指示板４１の適切な位置が共通目盛り１３における２つの「４」のうち左側にある「４」の位置であるものとする。練習者は、左足位置指示板２１と同様の方法で、ボール位置指示板４１を共通目盛り１３の左側の「４」の位置までスライド移動させる。その後、上記と同様にして使用者がボール位置指示板４１の基準線４８の延長線上にボールＢを置くことにより、ゴルフ練習具１の使用準備が完了する。
【００５２】
練習者は、上述したようにしてゴルフ練習具１の使用準備を完了させた後、左足位置指示板２１及び右足位置指示板３１の外側に立ち、これらの位置指示板２１及び３１の位置を参考にして両足を開く。具体的には、図４に示すとおり、両足とも前側を外方向に少し開いた上で、左足後側（踵部分）の内側が左足位置指示板２１に触れるように左足を置き、右足後側（踵部分）の内側が右足位置指示板３１に触れるように右足を置く。なお、足が必ずしも指示板に触れていなくてもよいことは、上記の場合と同様である。
以上のようにしてスタンスを確定した後、練習者は、スタンスの中心が中心線１２の延長線上にあることを意識しながらスイングする。
【００５３】
上述したように、実施の形態１のゴルフ練習具１では、中心線１２を基準にして、左足位置指示板２１、右足位置指示板３１及びボール位置指示板４１をそれぞれ独立して位置調節することができる。そのため、スタンスの中心となるべき位置との相対的な関係で、両足をどの程度開くべきかを把握したり、ボールをどの位置に置くべきかを確認したり等しながらゴルフスイングの練習を行うことができる。
【００５４】
このゴルフ練習具１には、ボール位置指示板４１に直交するように飛球方向指示板５１が嵌め込まれている。練習者は、ゴルフクラブのクラブフェースをボールＢに当てる際、スイングの軌道が飛球方向指示板５１と平行になるように意識してスイングする。その結果、スイングの軌道が、アウト・イン又はイン・アウトになりすぎることを防止することができる。
【００５５】
また、実施の形態１のゴルフ練習具１では、左足位置指示板２１、右足位置指示板３１及びボール位置指示板４１の適切な位置を共通目盛り１３における数値で確認することができる。そのため、練習者は、使用するゴルフクラブ毎にその数値を覚えておくことによって、適切なスタンス及びボールの位置で繰り返し練習することができる。なお、この数値はスタンスの中心となるべき位置からの距離を示しているため、練習者は、当該数値を覚えておくことによって、ゴルフ練習具１を使用しない場合でも、スタンスの中心位置からどの程度の距離を離して両足を置くべきか等を把握することができる。
【００５６】
また、左足位置指示板２１、右足位置指示板３１及びボール位置指示板４１は、上述したようにして基板１１内に収納することができる。これにより、例えばキャディーバック等に入れて容易に持ち運ぶことが可能になる等、ゴルフ練習具１の携帯性を高めることができる。
【００５７】
（実施の形態２）
実施の形態２のゴルフ練習具は、実施の形態１の場合と異なり、２本のボール位置指示板を備えている。
【００５８】
［ゴルフ練習具の構成］
図５は、本発明の実施の形態２に係るゴルフ練習具２の構成を示す平面図である。
図５に示すとおり、本実施の形態のゴルフ練習具２は、実施の形態１におけるボール位置指示板４１の代わりに、ボール位置指示長板６１及びボール位置指示短板８１を備えている。また、ゴルフ練習具２は、ゴルフボールの飛球すべき方向を示す飛球方向指示板７１と、足の前後方向における位置を示す前後位置指示板９１とをさらに備えている。
なお、本実施の形態のゴルフ練習具２におけるその他の構成については、実施の形態１の場合と同様であるので、同一符号を付して説明を省略する。
【００５９】
ボール位置指示長板６１及びボール位置指示短板８１は、ゴルフボールを置く位置を指し示すために用いられる指示板である。ボール位置指示長板６１の長さは約２８ｃｍである一方、ボール位置指示短板８１の長さは約１０ｃｍとなっており、ボール位置指示長板６１の方がボール位置指示短板８１よりも長くなっている。これらのボール位置指示長板６１及びボール位置指示短板８１は、実施の形態１におけるボール位置指示板４１と同様に、ガイド孔４２に係合されており、また基準線及び磁石等を具備している。図５において、ボール位置指示長板６１及びボール位置指示短板８１には、実施の形態１のボール位置指示板４１の場合と対応する符号を付しているので、その詳細な説明を省略する。
【００６０】
練習者は、使用するゴルフクラブに応じて、ボール位置指示長板６１とボール位置指示短板８１とを使い分ける。具体的には、練習者とボールとの間の距離が比較的長い場合はボール位置指示長板６１を用い、比較的短い場合はボール位置指示短板８１を用いる。
【００６１】
飛球方向指示板７１は、実施の形態１における飛球方向指示板５１と同様に、ボール位置指示長板６１又はボール位置指示短板８１に直交するように嵌め込むことができる。その他の構成については飛球方向指示板５１と同様であるので、説明を省略する。
【００６２】
また、前後位置指示板９１は、左足位置指示板２１又は右足位置指示板３１に直交するように嵌め込むことができる。前後位置指示板９１を左足位置指示板２１に嵌め込んだ場合は、その一端部に印刷されている基準線９２又はその縁部を左足前後位置目盛り２８の適宜の線に合わせることによって、前後位置指示板９１の位置決めをすることができる。
【００６３】
［ゴルフ練習具の使用方法］
次に、実施の形態２に係るゴルフ練習具２の使用方法について説明する。
ゴルフ練習具２を使用する際、練習者はまず、ゴルフ練習具２の基板１１をゴルフボールの飛球すべき方向と基板１１の長手方向とが平行になるように設置する。次に、使用するゴルフクラブに応じて、左足位置指示板２１、右足位置指示板３１、ボール位置指示長板６１及びボール位置指示短板８１を適切な位置までそれぞれスライド移動させる。４本の位置指示板をスライド移動させた後、ボール位置指示長板６１又はボール位置指示短板８１の延長線上にゴルフボールを置く。そして左足位置指示板２１及び右足位置指示板３１に沿って左足及び右足をそれぞれ置き、スタンスの中心が中心線１２の延長線上と重なるようにして立ち、スイングする。
【００６４】
以下では、ショートアイアンを使用する場合とアプローチショットを行う場合とを例にして、ゴルフ練習具２のより詳細な使用方法について説明する。
【００６５】
（１）ショートアイアンを使用する場合
図６は、ショートアイアンを使用する場合のゴルフ練習具２の使用例を示す平面図である。まず、ゴルフ練習具２の基板１１をゴルフボールの飛球すべき方向に向けて設置する。そして、左足位置指示板２１、右足位置指示板３１、ボール位置指示長板６１及びボール位置指示短板８１を適切な位置までそれぞれスライド移動させる。
【００６６】
ここでは、ショートアイアンを使用する場合における左足位置指示板２１及び右足位置指示板３１の適切な位置が、共通目盛り１３における「４」の位置であるものとする。
【００６７】
練習者は、共通目盛り１３における２つの「４」のうち左側にある「４」と対応する位置にある左足位置目盛り２３の主線と基準線２４とが一致するように、左足位置指示板２１をスライド移動させる。同様にして、練習者は、共通目盛り１３における２つの「４」のうち右側にある「４」と対応する位置にある右足位置目盛り３３の主線と基準線３４とが一致するように、右足位置指示板３１をスライド移動させる。
【００６８】
このようにして両足の位置指示板２１及び３１をスライド移動させた後、ボール位置指示長板６１及びボール位置指示短板８１をスライド移動させる。ここでは、ボール位置指示板としてボール位置指示短板８１を用いることとし、当該ボール位置指示短板８１の適切な位置が共通目盛り１３における２つの「１」のうち右側にある「１」の位置であるものとする。練習者は、左足位置指示板２１と同様の方法で、ボール位置指示短板８１を共通目盛り１３の右側の「１」の位置までスライド移動させる。そして、このボール位置指示短板８１の基準線８８の延長線上にボールＢを置く。
【００６９】
このようにボール位置指示板としてボール位置指示短板８１を用いる場合、ボール位置指示長板６１は適当な位置（図６に示す例では共通目盛り１３における左側の「６」の位置）にスライド移動させ、当該ボール位置指示長板６１に飛球方向指示板７１を嵌め込む。このとき、飛球方向指示板７１の延長線上にボールＢが配置されるように、ボール位置指示長板６１上で飛球方向指示板７１の位置を調節する。これにより、飛球方向指示板７１とボールＢの理想的な弾道及びゴルフクラブの軌道とを一致させることができるため、練習者にとって好ましい。
【００７０】
なお、上述したようにボール位置指示長板６１をボール位置指示板として用いない場合は、当該ボール位置指示長板６１を基板１１内に収納しておいてもよい。この場合、飛球方向指示板７１はボール位置指示短板８１に嵌め込んで使用すればよい。
【００７１】
練習者は、上述したようにしてゴルフ練習具２の使用準備を完了させた後、左足位置指示板２１及び右足位置指示板３１の間に立ち、これらの位置指示板２１及び３１の位置を参考にして両足を開く。具体的には、図６に示すとおり、両足とも前側を外方向に少し開いた上で、左足前側の外側が左足位置指示板２１に触れるように左足を置き、右足前側の外側が右足位置指示板３１に触れるように右足を置く。なお、足が必ずしも指示板に触れていなくてもよいことは上述したとおりである。
以上のようにしてスタンスを確定した後、練習者は、スタンスの中心が中心線１２の延長線上にあることを意識しながらスイングする。
【００７２】
（２）アプローチショットを行う場合
図７は、アプローチショットを行う場合のゴルフ練習具２の使用例を示す平面図である。ここでは、ショートアイアンを用いてアプローチショットを行う場合における左足位置指示板２１及び右足位置指示板３１の適切な位置が、共通目盛り１３における「４」の位置であるものとする。練習者は、（１）の場合と同様に、左足位置指示板２１及び右足位置指示板３１をスライド移動させる。
【００７３】
続いて、練習者は、ボール位置指示長板６１及びボール位置指示短板８１をスライド移動させる。ここでは、ボール位置指示板としてボール位置指示短板８１を用いることとし、当該ボール位置指示短板８１の適切な位置が共通目盛り１３における２つの「２」のうち右側にある「２」の位置であるものとする。練習者は、左足位置指示板２１と同様の方法で、ボール位置指示短板８１を共通目盛り１３の右側の「２」の位置までスライド移動させる。そして、このボール位置指示短板８１の基準線８８の延長線上にボールＢを置く。
【００７４】
他方、ボール位置指示長板６１は、上記（１）の場合と同様にして共通目盛り１３における左側の「６」の位置までスライド移動させ、当該ボール位置指示長板６１に飛球方向指示板７１を嵌め込む。
【００７５】
また、練習者は、前後位置指示板９１を左足位置指示板２１に嵌め込み、前後位置目盛り２８における「４」の後ろ側に印刷されている線と左足位置指示板２１の縁部とが一致するように、左足位置指示板２１を前後位置指示板９１上で摺動させる。
【００７６】
練習者は、上述したようにしてゴルフ練習具２の使用準備を完了させた後、左足位置指示板２１及び右足位置指示板３１の間に立ち、これらの位置指示板２１及び３１の位置を参考にして両足を開く。具体的には、図７に示すとおり、両足とも前側を外方向に少し開いた上で、左足前側の外側が左足位置指示板２１に且つその前側（つま先部分）が前後位置指示板９１に触れるように左足を置き、右足前側の外側が右足位置指示板３１に触れるように右足を置く。なお、足が必ずしも指示板に触れていなくてもよいことは上述したとおりである。
以上のようにしてスタンスを確定した後、練習者は、スタンスの中心が中心線１２の延長線上にあることを意識しながらスイングする。
【００７７】
なお、本実施の形態では前後位置指示板９１を左足位置指示板２１に嵌め込んで使用したが、これを右足位置指示板３１に嵌め込んで使用する場合もある。これによって、前後方向における右足の位置を前後位置指示板９１によって指し示すことができる。右足位置指示板３１にも左足位置指示板２１と同様に前後位置目盛りが設けられていてもよく、その場合は前後位置指示板９１の位置決めをより精確に行うことが可能になる。
【００７８】
また、２本の前後位置指示板９１を用意し、それらを左足位置指示板２１及び右足位置指示板３１の両方に嵌め込んで使用してもよい。これにより、前後方向における両足の位置を指示板によって指し示すことが可能になる。
【００７９】
上述したように、左足位置指示板２１及び／又は右足位置指示板３１に前後位置指示板９１を嵌め込んで使用することにより、ボールの飛球方向と平行なスタンスのみではなく、オープンスタンス及びクローズドスタンス等を体得することができる。
【００８０】
（その他の実施の形態）
上記の各実施の形態においては、それぞれの位置指示板を目安にして両足及びボールを置くことにより使用したが、それぞれの位置指示板を基板１１に収納し、基板１１だけで使用することもできる。このような使用方法は、基板１１の長手方向とボールの進行方向とを一致させたパッティングの練習等に特に有用である。
【００８１】
また、上記の各実施の形態においては、基板１１に設けられた共通目盛り１３は中心線１２からの距離を示す数値で表されているが、共通目盛りはこの態様に限定されるわけではなく、中心線を基点とした目盛りであればよい。したがって、例えば、文字で表されていてもよく、特定の図形等で表されていてもよい。
【００８２】
なお、上記の各実施の形態は、適宜組み合わせることが可能である。
【産業上の利用可能性】
【００８３】
本発明のゴルフ練習具は、ゴルフスイングにおける適切なスタンスを体得する練習具として有用である。
【符号の説明】
【００８４】
１，２  ゴルフ練習具
１１  基板
１２  中心線
１３  共通目盛り
２１  左足位置指示板
２３  左足位置目盛り
２４  基準線
２５  磁石
２６  係合部
２６ａ  棒状部
２６ｂ  脱落防止部
２７  回動規制部
２７ａ  雄ネジ
２８  左足前後位置目盛り
２１０  雌ネジ
３１  右足位置指示板
３３  右足位置目盛り
４１  ボール位置指示板
４３  ボール位置目盛り
５１，７１  飛球方向指示板
６１  ボール位置指示長板
８１  ボール位置指示短板
９１  前後位置指示板
【図１】
2010263984.tif 000003
【図２】
2010263984.tif 000004
【図３】
2010263984.tif 000005
【図４】
2010263984.tif 000006
【図５】
2010263984.tif 000007
【図６】
2010263984.tif 000008
【図７】
2010263984.tif 000009